(57)【要約】【課題】衣服用のハンガーについて、簡易な構成でコストを最小限に抑えながら屋内での通常使用と屋外の物干しポールでの使用の両方に適したものとする。【解決手段】１本の線状体を屈曲させた形状の部材からなりハンガー本体３Ａから延設された線状体が鈎状に屈曲して第１のフック４１を形成しその先端部分からさらに延設して第１のフック４１下側にその内径よりも内径及びフック開放部の幅の大きな第２のフック４２を形成してなる形状のフック体４Ａとし、第１のフック４１は物干しポール１００の外径よりも僅かに小さい内径でフック開放部の幅がその内径よりも小さく、フック内側部４１ａからフック内側部４２ａに続く部分に幅狭部４１ｂを形成して、物干しポール１００が第２のフック４２頂部側で係止した状態から下に引いて幅狭部４１ｂを広げることで第１のフック４１内に収まり、弾性変形による反発力で固定力を発揮するものとした。【選択図】図２
2011218027.tif 000002
【特許請求の範囲】
【請求項１】
ハンガー本体の中央上端側から該ハンガー本体を吊り下げるためのフック体が延設された衣服用のハンガーにおいて、前記フック体は、１本の線状体を屈曲させた形状の部材からなり、前記ハンガー本体から上向きに延設された前記線状体が鈎状に屈曲して第１のフックを形成するとともにフック開放部を形成した先端部分からさらに延設されて前記第１のフックの下側に該第１のフックの内径よりも内径及びフック開放部の幅の大きな第２のフックを形成してなる形状を有しており、前記第１のフックは、内径が前記ハンガー本体を吊り下げる物干しポールの外径よりも僅かに小さいとともにフック開放部の幅が前記内径よりも小さく形成されて前記第１のフックのフック内側部から前記第２のフックのフック内側部に続く部分に幅狭部を形成しており、前記物干しポールに吊り下げる際に、該物干しポールが前記幅狭部を通過せずに前記第２のフックの頂部側で係止した状態から、さらに下向きに引いて前記第１のフックを弾性変形させながら前記幅狭部を広げて前記物干しポールを通過させることで前記第１のフックのフック内側部に収まるものとされ、弾性変形による反発力で前記第１のフックの内周面が前記物干しポール外周面に押圧・密着して該物干しポールに対する固定力を発揮する、ことを特徴とするハンガー。
【請求項２】
前記フック体は、前記ハンガー本体に基端側が枢着されて傾倒・起立動作可能とされている、ことを特徴とする請求項１に記載したハンガー。
【請求項３】
前記フック体は、前記ハンガー本体の正面側に密着した仮想の平面の延長面に対し正面側が平行になるように前記線状体を二次元的に屈曲してなる形状を有しており、前記仮想の平面に平行な平面に沿って先端側を傾倒・起立動作可能に前記ハンガー本体に枢着されている、ことを特徴とする請求項２に記載したハンガー。
【請求項４】
前記ハンガー本体及び前記フック体は、厚さと幅が略均一な前記線状体を屈曲してなる形状の部材からなり、樹脂成形にて作成されたことを特徴とする請求項１，２または３に記載したハンガー。
【発明の詳細な説明】
【技術分野】
【０００１】
本発明は衣類用のハンガーに関し、殊に、屋内での通常の使用に加え屋外で物干しポールに掛けた状態で係止することのできるハンガーに関する。  
【背景技術】
【０００２】
図８に示すハンガー１Ｅは衣類用として広く普及しているが、ハンガー本体３Ｅの中央部上端から延設した鈎状のフック４Ｅをクローゼットのハンガー掛バー２００等に掛けて衣類の収納・保管目的で使用される。また、このような屋内での通常の使用のほか、屋外で洗濯後のシャツ等を干す場合にも使用される。
【０００３】
この場合、フック４Ｅの内径及びそのフック開放部の幅が一般的な物干しポール１００の外径よりも大きいため、風の力で物干しポール１００上を長さ方向に滑り動いたり脱落したりすることがある。そこで、内径及びフック開放部７１ａの幅が物干しポール１００の外径よりも僅かに小さく物干しポール１００に掛けると弾性反発力で固定されるフック７１を備えて、このフック７１下端から垂設した掛けリング７２にフック４Ｅを掛けて吊り下げることでハンガー１Ｅを物干しポール１００上で固定可能とした樹脂製のハンガーフック７０が使用されることがある。
【０００４】
このハンガーフック７０を使用することで、屋内での使用を想定したハンガー１Ｅであっても、洗濯後の衣類を掛けて屋外で干す際に、物干しポール１００上で固定されて風が吹いてもずれ動いたり落ちたりしないようにすることができる。しかし、このハンガーフック７０は、物干しポール１００に対しハンガーとは別に着脱するものであることからその分手間が増えることになる。そのため、物干しポール１００上に固定したままにすることも多く、ハンガーに掛けて干さない洗濯物の場合には邪魔になりやすい。また、ハンガーを物干しポール１００に固定するための他の手段として、ハンガーのフックを掛ける孔を複数設けたフック掛け部材を物干しポールに固定して使用したり、フックを挿入孔に通した状態で物干しポール上にハンガーを固定するハンガーストッパーを使用したりすることもあるが、いずれも小さな孔にフック通したり引き抜いたりする作業が面倒である。
【０００５】
これに対し、実開平７−３９７９５号公報には、図９に示すように屋内のハンガー掛バー２００等に掛けるためのフック４６の上端側に物干しポール１００に固定するためのバネ開閉式でピンチ状のフック４７を設けてなるフック体４Ｆを備えたフック二段式のハンガー１Ｆが提案されており、近年広く普及している。
【０００６】
このようなフック二段式のハンガー１Ｆを使用することで、クローゼットのハンガー掛バー２００等に下側のフック４６をそのまま掛けられることに加え、フック４６の先端部を縮径方向に握ることで上側のフック４７が開いて物干しポール１００を挟み込んで固定することができる。また、このようにフックを二段に延長した場合は、延長した分だけ丸首シャツの首孔に挿入しにくくなるところ、このフック体４Ｆは、図８に示すようにこれを支持する左右のフレーム３７，３８を弾性変形させながら傾倒させることができるため、首孔への挿入も比較的容易に行える。
【０００７】
しかしながら、このハンガー１Ｆは、フック体４Ｆにおける物干しポール１００を挟む込むための構成が複雑であるため、ハンガーとしては高コストであることに加え、複雑な構造を備えていることでフック体４Ｆが短期間で破損しやすいという難点がある。また、これを物干しポール上で複数固定する場合、いったん下のフック４６で掛けて適当な間隔に配置してから上のフック４７で正式に固定するのが一般的であるが、その際にフックの掛け替え作業を要してしまう。さらに、フック体４Ｆを傾倒させる場合も、左右のフレーム３７，３８の弾性反発力が常に作用する関係で、傾倒させた状態のまま手で押さえながら丸首シャツの首孔に通す必要があり、作業がやや面倒である。
【０００８】
一方、特開２００４−１１３５８９号公報には、フックの内周側にフック基端側から押さえアームを延設して、この押さえアームとフック先端側で物干しポールを挟み込んで固定する構成のハンガーが提案されており、屋内での通常の使用と屋外での物干しポールへの固定の両方を可能としている。ところが、これを屋内のハンガー掛バーに掛けた場合、アーム先端側が弾性的に当接していることでハンガー掛バー上をその長さ方向に移動させる際に抵抗が生じて滑りにくくなるため、使い勝手を悪くしてしまう。
【先行技術文献】
【特許文献】
【０００９】
【特許文献１】実開平７−３９７９５号公報
【特許文献２】特開２００４−１１３５８９号公報
【発明の概要】
【発明が解決しようとする課題】
【００１０】
本発明は、上記のような問題を解決しようとするものであり、衣服用のハンガーについて、簡易な構成でコストを最小限に抑えながら、屋内での通常使用と屋外の物干しポールでの使用の両方に適したものとすることを課題とする。
【課題を解決するための手段】
【００１１】
そこで、本発明は、ハンガー本体の中央上端側からハンガー本体を吊り下げるためのフック体が延設された衣服用のハンガーにおいて、そのフック体は、１本の線状体を屈曲させた形状の部材からなり、ハンガー本体から上向きに延設された線状体が鈎状に屈曲して第１のフックを形成するとともにそのフック開放部を形成した先端部分からさらに延設されて第１のフックの下側にその内径よりも内径及びフック開放部の幅の大きな第２のフックを形成してなる形状を有しており、その第１のフックは、その内径がハンガー本体を吊り下げる物干しポールの外径よりも僅かに小さいとともにそのフック開放部の幅がその内径よりも小さく形成されてそのフック内側部から第２のフックのフック内側部に続く部分に幅狭部を形成しており、物干しポールに吊り下げる際に、物干しポールが幅狭部を通過せずに第２のフックの頂部側で係止した状態から、さらに下向きに引いて第１のフックを弾性変形させながら幅狭部を広げて物干しポール通過させることで第１のフックのフック内側部に収まるものとされ、弾性変形による反発力で第１のフックの内周面が物干しポール外周面に押圧・密着して物干しポールに対する固定力を発揮する、ことを特徴とするものとした。
【００１２】
このように、ハンガーのフック体を１本の線状体を屈曲させた形状の部材からなるものとして物干しポールの外径よりも小さい内径とした第１のフックのフック開放部から続いてこれよりも大径の第２のフックを設けてその間に幅狭部を形成しただけの簡易な構成により、屋内で物干しポールよりも細いハンガー掛バー等に掛ける際には第１のフックでそのまま掛けて使用できることに加え、屋外の使用においては第２のフック頂部側の幅狭部で物干しポールに掛けた状態から、そのまま下に引くだけで物干しポールが幅狭部を通過して第１のフック内に収まり、手間を要することなく物干しポールに対しハンガーをしっかりと固定することができる。
【００１３】
また、このハンガーにおいて、そのフック体はハンガー本体に基端側が枢着されて傾倒・起立動作可能とされていることを特徴としたものとすれば、フック体が二段式とされて通常のものよりも高くても、これを傾倒させることで丸首シャツの首孔に挿入しやすいものとなる。
【００１４】
この場合、そのフック体はハンガー本体の正面側に密着した仮想の平面の延長面に対しその正面側が平行になるように線状体を二次元的に屈曲してなる形状を有しており、その仮想の平面に平行な平面に沿って先端側を傾倒・起立動作可能にハンガー本体に枢着されている、ことを特徴としたものとすれば、首孔に挿入する作業が容易なものとなる。
【００１５】
さらにまた、上述したハンガーにおいて、そのハンガー本体及びフック体は、厚さと幅が略均一な線状体を屈曲してなる形状の部材からなり、樹脂成形にて作成されたものであることを特徴としたものとすれば、簡易な構成で極めて低コストにて作成できるものとなる。
【発明の効果】
【００１６】
１本の線状体を屈曲して２つのフックを連続的に形成してなる形状のフック体を備えた本発明によると、簡易な構成でコストアップを最小限に抑えながら、屋内での通常使用と屋外の物干しポールでの使用の両方に適したものとすることができる。
【図面の簡単な説明】
【００１７】
【図１】本発明における実施の形態のハンガーの正面図である。
【図２】（Ａ）は図１のハンガーを物干しポールに掛けた状態を示す正面図であり、（Ｂ）は（Ａ）の状態からハンガーを下に引いて第１のフックを物干しポールに掛けて固定した状態を示す正面図である。
【図３】図３は図１のハンガーの応用例を示す正面図である。
【図４】図３のハンガーを丸首シャツの首孔に挿入する状態を示す正面図である。
【図５】（Ａ）は図１のハンガーの他の応用例を示す正面図であり、（Ｂ）は（Ａ）の側面図である。
【図６】図５のハンガーを丸首シャツの首孔に挿入する状態を示す正面図である。
【図７】図１のハンガーの他の応用例を示す正面図である。
【図８】従来例としてのハンガー及びハンガーフックを示す正面図である。
【図９】従来例を示す正面図である。
【図１０】図９のハンガーのフック体を傾倒させた状態を示す正面図である。
【発明を実施するための形態】
【００１８】
以下に、図面を参照しながら本発明を実施するための形態を説明する。
【００１９】
図１は、本実施の形態のハンガー１Ａを示すものであり、このハンガー１Ａは衣類を掛けるのに使用するものであって、左右斜め下向きに延設されたフレーム３１，３２とその下端側を横向きに接続した吊りロッド７からなるハンガー本体３Ａと、このハンガー本体３Ａ中央上端側から上向きに延設された鈎状のフック体４Ａとで構成され、全体として圧さと幅が均一な断面丸形の線状体を屈曲させてなる形状として樹脂一体成形にて作成されたものである。
【００２０】
ハンガー本体３Ａは従来例にも見られる一般的な構成であるが、その上端側から延設されたフック体４Ａの構成に本発明の特徴部分がある。即ち、このフック体４Ａは、１本の線状体を屈曲させた形状の部材からなり、ハンガー本体３Ａから上向きに延設された線状体が鈎状に屈曲（湾曲）されてフック内側部（内側空間）４１ａを有した第１のフック４１を形成しており、この第１のフック４１の先端側でフック開放部である幅狭部４１ｂを形成した部分からさらに延設されて、第１のフック４１の下側に第１のフック４１の内径よりも内径及びフック開放部４２ｂの幅が大きいフック内側部４２ａを有した第２のフック４２を形成している。
【００２１】
また、その第１のフック４１は、鈎状に形成されてそのフック内側部４１ａによる内径が、ハンガー本体３Ａを吊り下げる物干しポール１００の外径よりも僅かに小さく（望ましくは９０〜９５％）形成されて、その下端側のフック開放部の幅がフック内側部４１ａの内径よりも小さいとともに、フック開放部から頂部までの奥行きが物干しポール１００の外径の３分の２よりも深く形成されており、第１のフック４１のフック内側部４１ａから第２のフック４２のフック内側部４２ａに続く部分であるフック開放部で幅狭部４１ｂを形成している。尚、物干しポール１００の太さは通常３０ｍｍ程度であるが、大量の洗濯物や布団を干すことを想定した３５ｍｍ程度の耐重量タイプなど太さの異なる複数のものがあることから、固定する物干しポール１００の太さに応じた内径の第１のフック４１を各々備えたハンガー１Ａを複数種類用意してもよい。
【００２２】
このフック体４Ａを、物干しポール１００に掛けてハンガー本体３Ａを吊り下げて使用する場合、そのままでは図２（Ａ）に示すようにその幅狭部４１ｂの間隔よりも大きな外径の物干しポール１００はこれを通過せずに、第２のフック４２の頂部側で係止して掛かった状態となるが、この状態では風で物干しポール１００上を滑り動いたり脱落したりする。
【００２３】
そこで、図２（Ｂ）に示すように、この状態からさらにハンガー１Ａを下向きに引いて弧状に形成された第１のフック４１の頂部側を弾性変形させながら幅狭部４１ｂを広げることによりこの部分を物干しポール１００が通過し、第１のフック４１のフック内側部４１ａ内に収まった状態となり、その弾性変形による反発力で第１のフック４１の内周面側が物干しポール１００の外周面に押圧・密着して、ハンガー１Ａが物干しポール１００に掛けた位置でしっかりと固定されるようになっている。
【００２４】
即ち、上述したように、１種類のハンガーで屋内のハンガー掛バー２００等に掛ける通常の使用に加え、屋外で物干しポール１００上の所定位置に固定して使用できるようにするためには、図９に記載したハンガー１Ｆでは、フック体４Ｆに複雑な機構を必要として過剰なコストアップを招くとともにフック体４Ｆが破損しやすいものとなり、且つ、物干しポール上で複数固定する場合にいったん下のフック４６で掛けて適当な間隔に配置してから上のフック４７で正式に固定するフックの掛け替え作業を要していた。さらに、孔にハンガーのフックを挿通して物干しポール１００上で固定するタイプのものでは、小さな孔にフック通したり引き抜いたりする作業が面倒であった。
【００２５】
これに対し、本実施の形態のハンガー１Ａは、そのフック体４Ａが１本の線状体を屈曲してなる形状の極めて簡易な構成であるため、破損しにくいことに加えコストアップを最小限に抑えることができる。また、物干しポール１００に第２のフック４２を掛けた状態から下に強く引くだけで、簡単に第１のフック４１で物干しポール１００にしっかりと固定されるため、ハンガー１Ｆのようにフック４６先端側を縮径方向に動かしてフック４７を開く手間やフックの掛け替え作業を要さず、或いはフックを孔に挿通して固定するタイプのもののように小さな孔にフックを挿脱する面倒を要することなく、物干しポール１００にしっかりと固定することができる。  
【００２６】
図３は、上述したハンガー１Ａの応用例としてのハンガー１Ｂを示すものであり、そのフック体４Ｂが、その基端側がハンガー本体３Ｂに枢着されて傾倒・起立動作可能とされている点を特徴としている。即ち、このフック体４Ｂは、同一平面上で屈曲してなる形状のハンガー本体３Ｂの正面側に密着する仮想の平面の延長面に、その正面側が密着するように二次元的（平面的）に屈曲してなる形状とされ、前記仮想の平面に沿う方向で傾倒・起立可能な状態に枢着部４９で枢着されており、図中の矢印方向に先端側を俯仰動作できるようになっている。
【００２７】
したがって、フック体４Ｂを二段式に延長して高くしても、これを傾倒させることにより吊りロッド７中央部からの高さを低く抑えられるため、図４に示すように丸首シャツ７０の首孔７１に容易に挿入することができる。また、図のように、枢着部４９を傾斜したフレーム３２頂部付近に設けることで、フック体４Ｂが傾斜したフレーム３２に当接するまで傾倒させることができ、吊りロッド７中央部からの高さをより低くすることを可能としている。
【００２８】
さらにこの応用例として、図５に示すようにフック体３Ｃをハンガー本体３Ｃの正面側に密着する仮想の平面に平行な平面上で先端側を回動可能な状態に枢着部５０でハンガー本体３Ｃに枢着したものとすれば、フック体３Ｃの先端側をハンガー本体３Ｃのフレーム内側部まで納めることができるため、図６に示すように丸首シャツ７０の首孔７１により簡単に挿入できるものとなる。尚、上述したフック体４Ｂ，４Ｃは枢着部４９，５０を中心に回動動作が可能であるが、例えば凸部と凹部の係合等により、起立状態である程度係止力を発揮するものとすれば、使用時にフック体４Ｂ，４Ｃが揺動せずに安定すしやすいものとなる。
【００２９】
図７は、図１に示したハンガー１Ａの他の応用例を示すものであり、樹脂成型品又は木製のハンガー本体３Ｄに、これとは別体の鋼線等からなる線状金属を屈曲させて作成したフック体４Ｄを設けてなるハンガー１Ｄを示している。このハンガー１Ｄにおいても、そのフック体４Ｄは、第１のフック４４、第２のフック４５を備えてそのフック内側部４４ａからフック内側部４５ａに繋がる部分に幅狭部４４ｂを形成しており、上述したフック体４Ａと同様に幅狭部４４ｂが弾性的に広がって、物干しポール１００を第１のフック４４のフック内側部４４ａ内に挟み込んで固定できるようになっている。尚、この応用例においてもハンガー１Ｂ，１Ｃと同様にフック体４Ｄを傾倒可能に枢着してもよいことは言うまでもない。
【００３０】
以上、述べたように、衣服用のハンガーについて、本発明により、簡易な構成でコストアップを最小限に抑えながら、屋内での通常使用と屋外の物干しポールに掛けて固定する使用の両方に適したものとなった。
【符号の説明】
【００３１】
１Ａ，１Ｂ，１Ｃ，１Ｄ  ハンガー、３Ａ，３Ｂ，３Ｃ，３Ｄ  ハンガー本体、４Ａ，４Ｂ，４Ｃ，４Ｄ  フック体、３１，３２，３３，３４  フレーム、４１，４２，４４，４５  フック、４１ａ，４２ａ，４４ａ，４５ａ  フック内側部、４１ｂ，４４ｂ  幅狭部、４２ｂ，４５ｂ  フック開放部、４９，５０  枢着部、１００  物干しポール、２００  ハンガー掛バー
【図１】
2011218027.tif 000003
【図２】
2011218027.tif 000004
【図３】
2011218027.tif 000005
【図４】
2011218027.tif 000006
【図５】
2011218027.tif 000007
【図６】
2011218027.tif 000008
【図７】
2011218027.tif 000009
【図８】
2011218027.tif 000010
【図９】
2011218027.tif 000011
【図１０】
2011218027.tif 000012